(57)【特許請求の範囲】
【請求項１】
施錠機構を内装する錠箱と、
前記施錠機構を操作するための２体の押圧体と、
建具本体の両側面から前記錠箱を挟持するとともに、前記各押圧体を軸支する２体の支持部材とを備える錠前であって、
前記施錠機構は、施錠部材と、前記施錠部材を施錠及び解錠するための操作手段と、を有し、
前記操作手段は、前記施錠部材と連動するアーム部材を有し、
前記アーム部材には、前記各押圧体の動作を伝達するための連結孔が形成されており、
前記各押圧体は各々突出部を有し、前記各突出部は、前記連結孔に挿通されているものであり、
前記各押圧体と前記アーム部材は、前記各押圧体の支持軸に対する正逆方向の回転動作を、前記アーム部材の回動動作に変換し、前記施錠部材の施錠及び回動動作を切り替え可能となるように構成されていることを特徴とする錠前。
【請求項２】
２体の前記各支持部材において、それぞれに、嵌合凹溝が設けられており、
前記各嵌合凹溝には、別体で形成されている接合部材が着脱自在に嵌装されていることを特徴とする請求項１に記載の錠前。
【請求項３】
前記突出部を有する２体の前記押圧体は、同一構造の部材として形成されており、前記各々の突出部が、前記同一の連結孔に挿通可能となるように構成されていることを特徴とする請求項１又は請求項２に記載の錠前。
【発明の詳細な説明】
【技術分野】
【０００１】
本発明は、引戸等の各種建具に用いられる錠前に関する。
【背景技術】
【０００２】
錠前は各種の建具に使用されているが、近時、引戸などにおいて、高齢者、身体障害者及び年少者など、力の弱い使用者でも操作が容易であるプッシュ操作式やスライド操作式の錠前が使用されている。
【０００３】
例えば、図７に示すように、施錠機構２０’を内装する錠箱１０’と、当該施錠機構２０’を操作するための操作部４０’を備え、当該操作部４０’を操作することにより、上記施錠機構２０’を動作させることが可能となるように構成されている引戸用錠前Ｊ’が存在している（特許文献１参照）。
【先行技術文献】
【特許文献】
【０００４】
【特許文献１】特開２０１０−２２２８２４号公報
【発明の概要】
【発明が解決しようとする課題】
【０００５】
しかし、上記引戸用錠前Ｊ’では、操作部４０’は引戸本体における室内側の面のみに設けられており、室外側の面には錠前が施錠状態であるか否かを示す表示部６０’が設けられているため、室内側のみからしか施錠をすることができない。
【０００６】
ところで、近時、乳幼児の不用意な侵入を防ぐためのチャイルドロック機能を付すなど、室内外の双方において施錠を行う必要がある箇所に使用するための錠前の開発が望まれており、従来の錠前では対応できないという問題点を有しており、この問題は、その他の錠前を備える建具でも同様であった。
【０００７】
本発明は、上記問題点を解決するためになされたものであり、建具の両側から施錠を行うことができる錠前を提供することを目的としている。
【課題を解決するための手段】
【０００８】
上記目的を達成するために発明された錠前（以下、「本錠前」という。）は、施錠機構を内装する錠箱と、上記施錠機構を操作するための２体の押圧体と、建具本体の両側面から上記錠箱を挟持するとともに、上記各押圧体を軸支する２体の支持部材とを備える錠前であって、上記施錠機構は、施錠部材と、上記施錠部材を施錠及び解錠するための操作手段と、を有し、上記操作手段は、上記施錠部材と連動するアーム部材を有し、上記各押圧体と上記アーム部材は、上記各押圧体の支持軸に対する正逆方向の回転動作を、上記アーム部材の回動動作に変換し、上記施錠部材の施錠及び回動動作を切り替え可能となるように構成されていることを特徴としている。
【０００９】
そして、上記アーム部材には、上記各押圧体の動作を伝達するための連結孔が形成されており、上記各押圧体は各々突出部を有し、上記各突出部は、上記連結孔に挿通される構成となっている。
また、上記押圧体の突出部は少なくとも一つが設けられていればよく、その少なくとも一つの各突出部が連結孔に挿通されているものであればよい。
【００１０】
本錠前によれば、建具本体の両側面から上記錠箱を挟持するとともに、２体の押圧体を軸支する２体の支持部材とを備え、上記各押圧体と操作手段の上記アーム部材により、上記各押圧体の支持軸に対する正逆方向の回転動作を、上記アーム部材の回動動作に変換し、施錠部材の施錠及び回動動作を切り替え可能となるように構成されている。したがって、建具の両側面から押圧体を操作することにより、解錠及び施錠の操作を行うことができる。
【００１１】
また、本錠前において、上記各支持部材において、上記各嵌合凹溝が設けられており、上記各嵌合凹溝には、別体で形成されている接合部材が着脱自在に嵌装されていることとすれば、別体で形成されている接合部材を嵌合凹部に嵌装することにより、ねじ等を用いることなく、容易に支持部材を取り付け及び取り外しをすることができるため好適である。
【００１２】
さらに、本錠前において、上記突出部を有する２体の上記押圧体は、同一構造の部材として形成されており、上記各々の突出部が、上記同一の連結孔に挿通可能となるように構成すれば、押圧体の製作時の金型費用の削減、及び、部品点数の減少を実現することができるため、さらに好適である。
【００１３】
上記各押圧体は、同一の連結孔にその突出部に挿通され、上記各押圧体の支持軸に対する正逆方向の回転動作を、上記アーム部材の回動動作に変換することができる態様であれば、種々の構造を採用することができる。この場合において、突出部を含む各押圧体の形状を工夫することにより、対向して設置することや、上下方向に回転させて設置するものであってもよい。
【発明の効果】
【００１４】
本発明によれば、建具本体の両側から施錠を行うことが可能となる錠前を提供することができる。
【図面の簡単な説明】
【００１５】
【図１】（ａ），（ｂ）ともに、本錠前を備えた上吊引戸を示す斜視図である。
【図２】本錠前の分解斜視図である。
【図３】解錠状態における本錠前の内部を示す側面図である。
【図４】施錠状態における本錠前の内部を示す側面図である。
【図５】本錠前の操作部を示す斜視図である。
【図６】本錠前における２体の操作部の取り付け状態を示す、一部を省略した上面図である。
【図７】（ａ），（ｂ）ともに、従来の引戸用錠前を示す斜視図である。
【発明を実施するための形態】
【００１６】
以下、図面を参照しつつ、本錠前の一実施形態について、引戸用錠前（以下、「本引戸用錠前」という。）を例として詳細に説明する。その際、下記の説明において、後記する施錠機構２０が動作している状態（鎌体２１が錠箱１０の外部に突出している状態）を施錠状態（図４）、施錠機構２０が動作していない状態（鎌体２１が錠箱１０の内部に収納されている状態）を解錠状態と（図３）いう。また、下記の説明において、錠箱１０の内部の向きは、図３及び図４の向きに従う。
【００１７】
なお、図面に基づく説明においては、同一要素には同一符号を付し、重複する説明を省略するとともに、本引戸用錠前Ｊの動作に必要のない部材等についても説明を省略する。
【００１８】
［全体構成］
図１に示すように、本引戸用錠前Ｊは、引戸本体Ｈの戸先側（図１（ａ）の右側）の端面における略中間高さに設けられており、当該引戸本体Ｈが取り付けられている引戸枠の縦枠の戸当り面には、上記引戸用錠前Ｊに対向して鎌体受具が設けられている（ともに、図示せず）。
【００１９】
引戸本体Ｈの戸先側の上記対応位置には、薄板形状の錠箱１０を収納するための中空部が形成されており、引戸本体Ｈの端面が開口している（以下、「端面開口部」という。）。また、引戸本体Ｈの室内側表面及び室外側表面における当該中空部に対応する位置にも、開口部が形成されている（図示せず）。
【００２０】
図２に示すように、本引戸用錠前Ｊは、施錠機構２０と、引戸本体Ｈの室内側表面及び室外側表面に設けられている施錠機構２０を動作させるための各操作部４０とを備えており、当該施錠機構２０は錠箱１０に収納されている。
【００２１】
[錠箱]
図２から図４に示されているように、 錠箱１０は、一面が開放されている変形六画形状の浅底な箱本体１１と、開放部を塞ぐ細長の前面板１４により、薄箱状に組み立てられている。前面板１４は、箱本体１１の戸先側の端面に設けられており、上下端部１４ａ，１４ｂが、ねじ１９により、引戸本体Ｈに取り付けられることにより、端面開口部が閉塞されている。この前面板１４の中央部には、長手方向に鎌片出没孔１４ｃが、その下方にトリガ孔１４ｄ（図１）が、それぞれ形成されている。
【００２２】
箱本体１１の側板１２における前面板１４から離反する方向（以下、前面板１４から離反する方向を「後方」という）の上方端部には、上から筒部挿通孔１２ａ、円孔１２ｂ、接合部材挿通孔１２ｃ（略楕円孔）が設けられている。また、筒部挿通孔１２ａの横には、スイッチピン第１挿通孔１２ｄ（長孔）が設けられており、当該筒部挿通孔１２ａの上部と側方部には、上方切欠き部１２ｅ及び側方切欠き部１２ｆが設けられている。
【００２３】
［施錠機構］
錠箱１０に収容されている施錠機構２０は、鎌体２１（施錠部材）、クランクアーム３０、付勢ばね２５及びトリガ３５を主要部としている。
【００２４】
鎌体２１は、鎌体本体２２と、当該鎌体本体２２からＬ状に延びる鎌片２３を有している。鎌体本体２２は、半円部２２ａと、略半円形状の周縁部の一部を切り欠くことにより形成されている凸部２２ｂを組み合わせた形状であり、当該鎌体本体２２は、前面板１４に近接し、前面上部の隅各部にストップゴム３８が介装された状態で配置されている。そして、箱本体１１の両側の側板１２によって、両端部が、鎌体本体２２の中心部において支持された支点軸１６を中心にして回動自在に軸支されている。これにより、解錠状態と施錠状態において、鎌片２３が鎌片出没孔１４ｃから突出する施錠状態と、錠箱１１の内部に収容される解錠状態とを切り替えることができるようになっている。
【００２５】
また、鎌体本体２２には、その解錠状態で支点軸１６から後斜め上方に向かって長孔２２ｃが形成されるとともに、略後方水平方向に、付勢ばね２５の連結部２２ｄが付設されている。
【００２６】
付勢ばね２５は、略く字形状のねじりコイルばねであり、コイル部２５ａが、箱本体１１の後下方隅角部に位置している。そして、一端２５ｂが、コイル部２５ａの斜め上方に付設された連結片１８に連結され、他端２５ｃが鎌体本体２２の連結部２２ｄに掛止されることにより、クランクアーム３０を、常時、鎌体２１が解錠状態となる位置に回動付勢するように構成されている。
【００２７】
クランクアーム３０（アーム部材）は、略へ字形状に形成されており、先端部の表面には係合ピン３０ａ（係合手段）が突設され、基端部には円筒突部３１が突設されている（説明は省略する）。また、円筒突部３１に近接して、箱本体１１のスイッチピン第１挿通孔１２ｄに対応する位置に、長孔であるスイッチピン第２挿通孔３０ｂ（連結孔）が設けられている。
【００２８】
そして、係合ピン３０ａが、鎌体本体２２の長孔２２ｃに摺動可能となるように挿設されることにより、円筒突部３１の中央部を中心にして、後記操作スイッチ４１の押圧体４２の上下方向への回転に対応して、当該クランクアーム３０が時計回り及び反時計回りに回転することができるようになっている。
【００２９】
トリガ３５は、解錠状態における鎌片２３の下部において、先端部３５ａをトリガ孔１４ｄに向けて箱本体１１の底板１３の上面にスライド自在に載置されている。そして、後端部に取り付けられているトリガばね３６により、常に、トリガ孔１４ｄから突出する方向に付勢されており、先端を押圧することにより、箱本体１１の内部に退出し、押圧を解除することにより、箱本体１１の内部から突出するように、トリガ孔１４ｄから出没自在に設けられている。
【００３０】
また、トリガ３５の先端部３５ａに直交する上方向には、制動部３５ｂが設けられている。この制動部３５ｂは、解錠状態において、鎌片２３の下端縁部と接触することにより、当該鎌片２３が施錠方向に回動することを規制し、その先端が錠箱１０内に収納され、解錠状態を保持して鎌片出没孔１４ｃから突出することが防止されている。
【００３１】
上記構成により、引戸本体Ｈの閉止時には、トリガ３５の先端部３５ａが引戸枠（縦枠）の戸当り面に突き当り、トリガばね２６に抗し規制解除位置にスライド移動すると、制動部３５ｂが鎌片２３の下面から退避して、鎌片２３に対する接触状態が解除され、当該鎌片２３の回動が許容されるようになっている。
【００３２】
［操作部］
図２及び図５に示すように、操作部４０は、二体の操作スイッチ４１と取付枠４６（支持部材）とを有しており、引戸本体Ｈの室内側及び室外側は同一構造である。
操作スイッチ４１は、側面視で、く字形状の金属製の押圧板４２（押圧体）と、中間高さ位置の水平部に並設されている２本のスイッチピン４３（突出部）を備えており、水平軸４４を支軸として、取付枠４６に軸支されている。
【００３３】
取付枠４６の後面には、直方体形状である取付ケース４７が取り付けられている。取付ケース４７の中間高さ位置には、長孔であるスイッチピン第３挿通孔４７ｂ、４７ｃが併設されている。対向する２本のスイッチピン４３は細長突出体であり、その先端は、下記の一つの共通のスイッチピン第１挿通孔１２ｄに挿通しやすいように、基端部と比べて、先端部における幅方向（水平方向）の厚さが薄くなるように形成されている。
【００３４】
操作スイッチ４１の押圧板４２の２本のスイッチピン４３は、対応する各スイッチピン第３挿通孔４７ｂ，４７ｃに挿通され、対向する一方側のスイッチピン４３の双方は、箱本体１１の一つの共通のスイッチピン第１挿通孔１２ｄと、クランクアーム３０のスイッチピン第２挿通孔３０ｂに挿通されている。対向する他方側のスイッチピン４３は、箱本体１１の側方側切欠き部１２ｆに位置している。
【００３５】
なお、引戸本体Ｈの両側の操作部４０を同一構造とするために、上面視で、各操作部４０の凹部と凹部が向き合うように配置され、各スイッチピン４３同士が近接するようになっている（図６）。
【００３６】
また、取付枠４６の取付ケース４７の上下面には、凹溝体４８Ａ，４８Ｂ（嵌合凹溝）が、開口面をそれぞれ上下に位置する向きで取り付けられている。
各凹溝体４８Ａ，４８Ｂには、溝の幅方向の中央位置において、長さ方向に沿ってリブ４８ａ（補強部材）が設けられている。
【００３７】
図６に示すように、各操作部４０は、別体で形成されている上下の接合部材５０Ａ，５０Ｂにより、錠箱１０を挟んで一体となっている。
上記接合部材５０Ａ，５０Ｂは合成樹脂製であり、平面視で凸字形状、正面視で凹字形状に形成されている（以下、先端部を「突出体５１Ａ，５１Ｂ」、基端部を「嵌合体５２Ａ，５２Ｂ」という。）。突出体５１Ａ，５１Ｂは二股形状（Ｕ字形状）であり、複数本の凹凸部５１ａが形成されている。また、嵌合体５２Ａ，５２Ｂは、中空部を有しており、上部においては、開口面を下向きにした状態で、下部においては、開口面を上向きにした状態で、取付ケース４７の凹溝体４８Ａ，４８Ｂに嵌装可能な形状に形成されている。
【００３８】
加えて、一方の取付枠４６の取付ケース４７における凹溝体４８Ｂには、上記接合部材５０Ａ，５０Ｂにおける嵌合体５２Ａ，５２Ｂの部分のみが別体として形成された形態である嵌合別体５３Ａ、５３Ｂが嵌装されている（上部においては、開口面を下向きにした状態で、下部においては、開口面を上向きにした状態である）。また、この嵌合別体５３Ａ，５３Ｂの内壁面には、上記突出体５１Ａ，５１Ｂの凹凸部５１ａと歯合（係合）する凹凸部５３ａが形成されている。
【００３９】
そして、上部の接合部材５０Ａの基端部の嵌合体５２Ａが一方の凹溝体４８Ａに嵌装され、錠箱１０の上切欠き部１２ｆの部位を通り、突出体５１Ａが、開口面を下向きにした状態で、他方の凹溝体４８Ａにおける嵌合別体５３Ａが嵌装されている空間に嵌入されている。
【００４０】
また、下部の接合部材５０Ｂの嵌合体５２Ｂが一方の凹溝体４８Ｂに嵌装され、錠箱１０の接合部材挿通孔１２ｃに挿通されるとともに、突出体５１Ｂが、開口面を上向きにした状態で、他方の凹溝体４８Ｂにおける嵌合別体５３Ｂが嵌装されている空間に嵌入されている。
【００４１】
［本引戸用錠前の作用及び効果］
続いて、本引戸用錠前Ｊの作用について、説明する。
本引戸用錠前Ｊは、引戸本体の室内側及び室外側の両側から同一の操作により、解錠及び施錠が可能となる。
【００４２】
すなわち、引戸本体Ｈを閉止すると、トリガ３５の先端部３５ａが引戸枠の縦枠の戸当り面に当接し、トリガばね３６に抗して規制解除位置にスライド移動して、制動部３５ｂが鎌片２３の下面から退避することにより、鎌片２３に対する接触状態が解除される。
【００４３】
この状態で、室内側及び室外側のいずれか一方側における操作部４０の押圧板４２の上側を押圧すると、当該押圧板４２が支持軸４４を中心として下方に回転し、スイッチピン４３が下方に移動する。そして、クランクアーム３０が下方に押圧され、円筒突部３１の中央部を中心にして反時計回りに回転し、それに伴い、係合ピン３０ａが、鎌体本体２２の長孔２２ｃの内部を摺動し、鎌体本体２２を押圧することになる。この作用により、鎌片２３が鎌片出没孔１４ｃから突出して、その先端が鎌体受具と係合して、施錠状態となる。
【００４４】
また、室内側及び室外側のいずれか一方側における操作部４０の押圧板４２の下側を押圧すると、上記と逆の動作により、クランクアーム３０が鎌体本体４２を押圧する状態が解除されることにより、トリガばね３６の作用により、鎌片２３と鎌体受具の係合が解除され、鎌片が錠箱１０の内部に収容され、解錠位置に復帰することになる。
【００４５】
本引戸用錠前Ｊによれば、上記作用の箇所で説明したように、引戸本体Ｈの両側面から押圧板４２を操作することにより、解錠及び施錠の操作を行うことができる。
【００４６】
また、錠箱１０に対向する向きに配置される２体の操作部４０を同一の形状で形成しているため、当該操作部４０の構成部品の製作時の金型費用の削減、及び、部品点数の減少を実現することができる。
【００４７】
また、上記各支持枠４６において、上記各凹溝体４８Ａ，４８Ｂが設けられており、上記各凹溝体４８Ａ，４８Ｂには、別体で形成されている接合部材５０Ａ，５０Ｂが着脱自在に嵌装されていることにより、錠箱１０と両側の支持枠４６が一体となっている。このように、別体で形成されている接合部材５０Ａ，５０Ｂを凹溝体４８Ａ，４８Ｂに嵌装することにより、ねじ等を用いることなく、容易に支持枠４６を取り付け及び取り外しすることができる。
【００４８】
以上、本発明について、好適な実施形態についての一例を説明したが、本発明は当該実施形態に限られず、本発明の趣旨を逸脱しない範囲で適宜設計変更が可能である。
【００４９】
特に、本錠前は、引戸に用いることが特に好適であるため、引戸に取り付ける場合を例として説明してきた。しかし、その技術的思想は、引戸のみに限定して適用されうるものでなく、各種建具における錠前としても使用することができる。
【００５０】
また、本発明では、操作部を同一形状に形成するために、スイッチピンの形態を工夫しており、本実施例では、対向する２本のスイッチピンは、基端部と比べて、先端部における幅方向（水平方向）の厚さが薄くなるように形成されている。しかし、スイッチピンの形状は挿通孔の形状に応じて、適宜変更が可能であり、例えば、先端部における鉛直方向の厚さが薄くなるように形成し、一方の操作部を１８０度回転した状態で対向して配置等するものであってもよい。
【００５１】
また、嵌合凹溝及び接合部材の材質や形態に関しても、制限はない。
さらに、錠箱、施錠機構における各要素に関し、本発明の要部以外の細部の構成要素（形状、材質、配置等）に関しては、従来技術の各構成要素を利用することができる。
【符号の説明】
【００５２】
Ｊ      引戸用錠前
Ｈ      引戸本体
１０    錠箱
１１    箱本体
１２ｄ  スイッチピン第１挿通孔
２０    施錠機構
２１    鎌体（施錠部材）
２２    鎌体本体
２３    鎌片
３０    クランクアーム（アーム部材）
３０ｂ  スイッチピン第２挿通孔（連結孔）
３５    トリガ
４０    操作部
４１    操作スイッチ
４２    押圧板（押圧体）
４３    スイッチピン（突出部）
４６    取付枠（支持部材）
４７ｂ，４７ｃ  スイッチピン第３挿通孔
４８Ａ，４８Ｂ    凹溝体（嵌合凹溝）
４８ａ  リブ
５０Ａ，５０Ｂ    接合部材
５１Ａ，５１Ｂ    突出体
５１ａ  凹凸部
５２Ａ，５２Ｂ    嵌合体
５３Ａ，５３Ｂ    嵌合別体
【図１】
0006473402.tif 000002
【図２】
0006473402.tif 000003
【図３】
0006473402.tif 000004
【図４】
0006473402.tif 000005
【図５】
0006473402.tif 000006
【図６】
0006473402.tif 000007
【図７】
0006473402.tif 000008